(57)【要約】      （修正有）【課題】ケーブルを電気的に接続する素早く簡単な誤りにくい設置プロセスを可能にする絶縁変位コンタクト（ＩＤＣ）デバイスを提供する。【解決手段】ＩＤＣデバイスは、ブレード要素および偏倚要素を備え、ブレード要素は、対向するブレード４．１、４．２を備え、これらのブレードはそれぞれ、切断縁２４を有し、切断縁は、末端にコンタクトスロット８を形成し、コンタクトスロットは、ブレード間に画定され、偏倚要素はＵ字状であり、ブレード要素を取り囲み、偏倚要素（は、コンタクトスロットに対して本質的に平行な摺動方向に、ブレード要素によって摺動可能に保持されることを特徴とする。ケーブル５２は、ケーブルの長手方向に、切断縁と偏倚要素との間に画定された挿入開口内へ挿入され、次いで偏倚要素には、コンタクトスロットに対して平行な方向にブレード要素に沿って切れ目が入っており、それによってケーブルをコンタクトスロット内へ付勢する。【選択図】図３ｂ
2018041727.tif 000002
【特許請求の範囲】
【請求項１】
外装（５６）および導体（５４）を有するケーブル（５２）を電気的に接続する絶縁変位コンタクトデバイスであって、ブレード要素（２）および偏倚要素（３０）を備え、前記ブレード要素（２）は、対向するブレード（４．１、４．２、６．１、６．２）を備え、前記ブレード（４．１、４．２、６．１、６．２）はそれぞれ、切断縁（２４）を有し、前記切断縁（２４）は、末端にコンタクトスロット（８、１０）を形成し、前記コンタクトスロット（８、１０）は、前記ブレード（４．１、４．２、６．１、６．２）間に画定され、前記偏倚要素（３０）はＵ字状であり、前記ブレード要素（２）を取り囲む、絶縁変位コンタクトデバイスにおいて、前記偏倚要素（３０）は、前記コンタクトスロット（８、１０）に対して本質的に平行な摺動方向に、ブレード要素（２）によって摺動可能に保持されていることを特徴とする絶縁変位コンタクトデバイス。
【請求項２】
前記偏倚要素（３０）は、挿入位置を画定するように適合され、前記挿入位置では、前記切断縁（２４）と前記偏倚要素（３０）との間に挿入開口（５１）が画定され、前記偏倚要素（３０）は、前記挿入位置（５１）から前記コンタクトスロット（８、１０）の方へ移動し、それによって前記ケーブル（５２）を端位置へ付勢することができることを特徴とする、請求項１に記載の絶縁変位コンタクトデバイス。
【請求項３】
前記偏倚要素は、前記ブレード要素（２）を取り囲む対向する脚部（３２）と、前記ブレード要素（２）を横切って延びるベース（３４）とを備え、前記ベース（３４）から前記脚部（３２）が突出し、前記ベース（３４）と各脚部（３２）との間の移行が、弾性変形蓄積域（３８）を画定し、各脚部（３２）は、押圧域（ｐ）を画定していることを特徴とする、請求項１または２に記載の絶縁変位コンタクトデバイス。
【請求項４】
前記ケーブル（５２）の前記外装（５６）の外周と協働するように適合された広げ手段（２６）を備え、前記広げ手段（２６）は、前記コンタクトスロット（８、１０）の幅を広げるようにブレード（４．１、４．２、６．１、６．２）に割り当てられていることを特徴とする、請求項１から３のいずれか一項に記載の絶縁変位コンタクトデバイス。
【請求項５】
前記偏倚要素（３０）の端位置を固定する固定手段（２８、３６）を備え、前記端位置では、前記絶縁変位コンタクトデバイス内にケーブル（５２）が装着され、前記絶縁変位コンタクトデバイスに電気的に接続されていることを特徴とする、請求項１から４のいずれか一項に記載の絶縁変位コンタクトデバイス。
【請求項６】
前記ブレード要素（２）は、長手方向の距離をあけて配置された少なくとも２組のブレード（４、６）を備え、前記コンタクトスロット（８、１０）の一方の側に配置された前記２組のブレード（４、６）の前記ブレード（４．１、６．１、４．２、６．２）を接続する側壁（１２）をさらに備え、前記側壁（１２）は、前記偏倚要素（３０）の前記端位置で前記偏倚要素（３０）を受け取るように適合されたレセプタクル（２０）を画定し、前記端位置では、前記絶縁変位コンタクトデバイス内にケーブルが装着され、前記絶縁変位コンタクトデバイスに電気的に接続されていることを特徴とする、請求項１から５のいずれか一項に記載の絶縁変位コンタクトデバイス。
【請求項７】
前記ブレード要素（２）は、円筒形のプラグ要素（１８）を画定していることを特徴とする、請求項１から６のいずれか一項に記載の絶縁変位コンタクトデバイス。
【請求項８】
前記偏倚要素（３０）が前記コンタクトスロット（８、１０）の方へ移動した端位置で、前記コンタクトスロット（８、１０）は、傾斜したプロファイルを有し、前記コンタクトスロット（８、１０）の口（６０）が、前記端位置で前記導体（５４）を受け取る前記コンタクトスロット（８、１０）のコンタクト領域（６２）より狭くなっていることを特徴とする、請求項１から７のいずれか一項に記載の絶縁変位コンタクトデバイス。
【請求項９】
絶縁材料から形成されたハウジング（７０）をさらに備え、前記ハウジング（７０）は、ハウジングベース（７２）およびハウジングカバー（７４）を備え、前記ハウジングベース（７２）および前記ハウジングカバー（７４）は、前記ハウジング（７０）内へケーブル（５２）を挿入することができる開始位置から、前記ケーブル（５２）が前記絶縁変位デバイスに装着されて電気的に接続される装着位置へ、互いに対して摺動可能であり、前記ブレード要素（２）は前記ハウジングベース（７２）内に受け取られ、前記偏倚要素（３０）は前記ハウジングカバー（７４）内に受け取られ、前記開始位置で前記ケーブル（５２）を挿入するための空間をあけた量を有するゲル封止材料が、前記ハウジング（７０）内に受け取られ、前記装着位置で周囲から前記ハウジングを封止する、請求項１から８のいずれか一項に記載の絶縁変位コンタクトデバイス。
【請求項１０】
前記ハウジング（７０）内へケーブル（５２）を挿入する前に前記ハウジングカバー（７４）が前記開始位置から前記装着位置へ押されることを阻止する阻止手段（１１２、１１４）を備え、前記阻止は、前記阻止手段（１１４）と前記ハウジング（７０）内へ挿入された前記ケーブル（５２）との相互作用によって解除されることを特徴とする、請求項９に記載の絶縁変位コンタクトデバイス。
【請求項１１】
前記ハウジングカバー（７４）内に受け取られる保持ばね（９２）を備え、前記保持ばね（９２）は、前記ケーブル（５２）の前記外装（５６）と協働して前記ハウジング（７０）内で前記ケーブル（５２）を保持するように適合されていることを特徴とする、請求項９または１０に記載の絶縁変位コンタクトデバイス。
【請求項１２】
第１のソーラーケーブルおよび第２のソーラーケーブルを有する太陽光利用設備であって、前記ソーラーケーブルはそれぞれ、請求項１から１１のいずれか一項に記載の絶縁変位コンタクトデバイス内に受け取られ、前記絶縁変位コンタクトデバイスは、互いに電気的かつ機械的に接続されている、太陽光利用設備。
【請求項１３】
ブレード要素（２）およびＵ字状の偏倚要素（３０）を備える絶縁変位コンタクトデバイス内で外装（５６）および導体（５４）を有するケーブル（５２）を電気的に接続する方法であって、前記ブレード要素（２）は、対向するブレード（４．１、４．２）を備え、前記ブレード（４．１、４．２）はそれぞれ、切断縁（２４）を有し、前記切断縁（２４）は、末端にコンタクトスロット（８）を形成し、前記コンタクトスロット（８）は、前記ブレード（４．１、４．２）間に画定される、方法において、前記ケーブル（５２）は、前記ケーブル（５２）の長手方向に、前記切断縁（２４）と前記偏倚要素（３０）との間に画定された挿入開口（５１）内へ挿入され、前記偏倚要素（３０）には、前記コンタクトスロット（８）に対して平行な方向に前記ブレード要素（２）に沿って切れ目が入っており、それによって前記ケーブル（５２）を前記コンタクトスロット（８）内へ付勢することを特徴とする方法。
【請求項１４】
前記ケーブル（５２）が前記絶縁変位コンタクトデバイスに電気的に接続される端位置に到達したとき、前記偏倚要素（３０）は、スナッピング手段によって前記ブレード要素（２）に固定されることを特徴とする、請求項１３に記載の方法。
【請求項１５】
前記偏倚要素（３０）は、前記偏倚要素（３０）が最大横方向偏倚力により前記ブレード要素（２）を取り囲む押圧域（ｐ）を提供し、前記押圧域（ｐ）は、前記偏倚要素（３０）の摺動のために前記偏倚要素（３０）が前記ケーブル（５２）を前記コンタクトスロット（８）内へ付勢するとき、前記コンタクトスロット（８）に対して横断方向において、前記ケーブル（５２）の最大寸法と同一水平面上にあることを特徴とする、請求項１３または１４に記載の方法。
【発明の詳細な説明】
【技術分野】
【０００１】
本発明は、外装および導体を備えるケーブルを電気的に接続する絶縁変位コンタクトデバイスに関する。そのような絶縁変位コンタクトデバイスは、従来技術では、導体を絶縁変位コンタクトデバイスに電気的に接触させるとき、導体の周りに外装によって与えられている絶縁を除去することが一般に知られており、受け入れられている。この目的で、絶縁変位デバイスはブレード要素を備え、ブレード要素は、切断縁をそれぞれが有する対向するブレードを備える。対向するブレードは通常、斜めの切断縁を有し、これらの切断縁は末端にコンタクトスロットを形成し、コンタクトスロットは、ブレード間に画定される。
【０００２】
本発明は、たとえばＥＰ０８９３８４５Ｂ１に記載されているような、偏倚要素を備える絶縁変位コンタクトデバイス（以下、ＩＤＣデバイス）を提供することを目的とする。この従来技術におけるブレード要素および偏倚要素は、別個の構成要素として準備され、シート金属から形成される。偏倚要素はＵ字状であり、接続すべきケーブルの導体がコンタクトスロット内に受け取られて電気的に接触された位置で、ブレード要素を取り囲む。ブレード要素は、偏倚要素を受け取る凹部を有し、それによってブレード要素と偏倚要素との間に形状嵌め接続を得る。
【背景技術】
【０００３】
ＥＰ０８９３８４５Ｂ１から知られているＩＤＣデバイスは、ブレード要素と導体との間に改善されたクランプ力、それによって接触力を提供するが、ケーブルを接続するには、たとえばコネクタの複数の撚り線をコンタクトスロットに押し込むために、ブレード要素を広げるための強い力が必要である。
【０００４】
米国特許第６，５４０，５４４（Ｂ１）号は、ブレード要素によって画定された対向するブレードを有する別のＩＤＣデバイスを開示しており、このＩＤＣデバイスは、コンタクトスロットの延長に沿って可動の中空の本体部分を有し、ＩＤＣデバイスに電気的に接続すべきケーブルと協働するように適合された圧入ロッドを備える。さらに、中空の本体は、圧接ブレード押圧部分を支持し、これらの押圧部分は、ばね部材によって前記中空の本体部分の内部空間内に取り付けられ、ブレード要素の上面と協働する。コンタクトスロット内への導体の挿入中、ブレード要素は、わずかに傾斜して、コンタクトスロットの幾何形状を漏斗状にすることが可能であり、それによって導体の挿入を容易にする。
導体がスロット内に受け取られた後、ばね部材の弾力によってばね部材は互いの方へ傾斜し、それによって矩形コンタクトスロットを提供し、前記コンタクトスロット内に導体の撚り線を圧縮する。最終的に、ブレード要素のこの配置は、ブレード要素とブレード押圧部分との間の形状嵌めによって固定される。米国特許第６，５４０，５４４（Ｂ１）号から知られている上述したデバイスは、大きくて扱いにくく、したがって、経済的に製造することができない。さらに、ケーブルがＩＤＣデバイスに装着されて電気的に接続される端位置における撚り線の詰め込み状態は、たとえばソーラーケーブル向けの電気接続内に存在するような高電流を伝送するために必要とされるほど密集していない。
【先行技術文献】
【特許文献】
【０００５】
【特許文献１】ＥＰ０８９３８４５Ｂ１
【特許文献２】米国特許第６，５４０，５４４（Ｂ１）号
【発明の概要】
【発明が解決しようとする課題】
【０００６】
本発明は、ケーブルを電気的に接続する素早く簡単な誤りにくい設置プロセスを可能にするＩＤＣデバイスを提供することを目的とし、このＩＤＣデバイスは、広範囲のケーブルサイズに適合可能であるべきである。たとえば、これらのケーブルサイズは、有効断面積が２．５〜１０ｍｍ２の導体を有することができ、ケーブル、すなわち外装の外径は、５．５ｍｍ〜７．５ｍｍの範囲とすることができる。さらに、本発明は、ソーラーケーブルを容易かつ確実に接続する手段を提供することを所望する。本発明はさらに、外装および導体を有するケーブルをＩＤＣデバイスに電気的に接続する方法を提案することを目的とする。
【課題を解決するための手段】
【０００７】
上記の問題への解決策として、本発明は、請求項１に記載のＩＤＣデバイスを提案する。
【０００８】
本発明のＩＤＣデバイスは、ブレード要素および偏倚要素を有する。これらの要素は通常、別個のシート金属片から形成され、互いに独立して別個に準備される。言い換えれば、ブレード要素および偏倚要素は、物理的に別個の要素として準備される。偏倚要素はＵ字状であり、ブレード要素を取り囲んで、コンタクトスロット内に受け取られる導体の接触力を増強し、それによって、高電流接続のために生じる要件にＩＤＣデバイスを適合させる。本発明のＩＤＣデバイスでは、偏倚要素は、ブレード要素によって摺動可能に保持される。言い換えれば、特に本発明のＩＤＣデバイスにケーブルを電気的に接続するためにケーブルを挿入する前、ブレード要素は、ブレード要素に対して摺動するように適合される。摺動方向は、コンタクトスロットに対して、すなわちコンタクトスロットの延長方向に対して、本質的に平行である。
【０００９】
偏倚要素とブレード要素との間の摺動性により、偏倚要素によってコンタクトスロット内の導体とブレード要素との間のコンタクトを補強する前に、コンタクトスロット内へ導体を挿入することが可能になる。別法として、コンタクトスロット内への導体の導入中、偏倚要素をコンタクトスロットに対して本質的に平行に動かし、それによって、コンタクトスロットの方へケーブルを押すときの切断ブレードの切断力を増強することができ、かつ／またはたとえば導体の撚り線をコンタクトスロット内にしっかりと配置するための押圧力を増強することができる。コンタクトスロット内への導体の押圧中に偏倚要素を動かし、それによって押圧力を増強するとき、導体の撚り線は、より密に配置される。これにより、一方では、対向するブレード要素の対向する側面に対する導体の押圧力を堅実にし、他方では、コンタクトスロット内のそれぞれの撚り線の互いに対するコンタクトを完全にする。この改善された電気コンタクトの理由は、撚り線がコンタクトスロット内へ動くときに撚り線がコンタクトスロット内で密に再配置される可能性がより高くなるからである。
【００１０】
好ましい実施形態によれば、本発明のＵ字状の偏倚要素は、ブレード要素内の端位置へケーブルを付勢するために使用され、この端位置で、ケーブルの導体は、コンタクトスロット内のブレード要素に接触する。Ｕ字状の偏倚要素は概して、互いに対して本質的に平行に延びる脚部を有し、これらの脚部は、共通のベースから突出する。本段落に論じる好ましい実施形態では、ベースは、ケーブルをコンタクトスロット内へ挿入する際にケーブルと協働するために利用される。Ｕ字状の偏倚要素は、挿入位置を画定するように適合され、挿入位置内では、切断縁と偏倚要素との間、より具体的には通常、偏倚要素のベースと切断縁との間に、挿入開口が画定される。この挿入開口は、ＩＤＣデバイスに電気的に接続すべきケーブルを受け取るように適合される。
【００１１】
偏倚要素は、この挿入位置からコンタクトスロットの方へ摺動可能であり、それによってケーブルを端位置へ付勢する。偏倚要素のこの動きは通常、摺動運動であり、この摺動運動中、偏倚要素は、ブレード要素の摺動面に沿って摺動可能に案内される。これらの摺動面は通常、ブレード要素の外面によって画定される。
【００１２】
本発明のさらに好ましい実施形態によれば、Ｕ字状の偏倚要素のベースは、ブレード要素を横切って延びるように適合され、これは、ベースが通常、切断縁を含むブレードと交差することを意味する。ベースから突出する脚部は通常、コンタクトスロットの延長に対して本質的に平行に延びる。好ましくは、ベースと各脚部との間の移行部には、弾性変形蓄積域が設けられ、弾性変形蓄積域は、特に、ブレード要素のブレードを内方へ押すために必要とされる弾性変形を蓄積し、また、ケーブルがＩＤＣコンタクトデバイス内へ挿入されてコンタクトスロット内へ押し込まれることによって引き起こされる弾性変形を蓄積する。
最も好ましくは、各脚部は押圧域を画定し、押圧域では、好ましくは、最大横方向偏倚力がブレード要素上へ加えられる。それぞれの脚部によって設けられる押圧域は通常、同じ高さに設けられ、この高さは、小さいスロットの延長方向に対応し、通常、接続すべきケーブルの延長方向に直交する。前記ケーブルの延長方向は、ＩＤＳデバイスおよびその構成要素の構造を画定するために本説明で使用される長さに対応する。第３の寸法は幅方向であり、幅方向は、高さおよび長さに直交する。
【００１３】
押圧域は通常、押圧域が、コンタクトスロットに対して横断方向においてケーブルの最大寸法のレベルにくるように、すなわちケーブルを挿入した際の幅方向においてケーブルの最大寸法のレベルにくるように配置される。これは、２つの脚部によって設けられる対向する押圧域とベースと間の高さ方向の距離を適切に選択することによって実現することができ、ベースは、好ましくは、ケーブルをコンタクトスロット内へ付勢するように外装と協働する。したがって、押圧域は、高さ方向におけるケーブルの最大直径と同じ高さでケーブルとともに動いており、それによってコンタクトスロット内の切断力および接触力を増強させる。
【００１４】
導体の挿入、特にコンタクトスロット内への導体の複数の撚り線の挿入を容易にするために、ＩＤＣデバイスは、接続すべきケーブルの外装の外周と協働するように適合された広げ手段を備え、広げ手段は、コンタクトスロットの幅を広げるようにブレードに割り当てられる。広げ手段は通常、導体がコンタクトスロット内へ押し込まれるとき、コンタクトスロットに対して横断方向において、ケーブルの最大寸法が、広げ手段のレベルにくるように設計される。広げ手段は、ブレード要素の対向する側に配置される突出部によって提供することができ、突出部は、コンタクトスロットの方へ、すなわち幅方向に突出し、コンタクトスロットの口と本質的に同一水平面上に配置され、導体は、この口を通ってコンタクトスロット内へ付勢される。
言い換えれば、ＩＤＣデバイス内へのケーブルの挿入中、コンタクトスロットへ移送されるケーブルの最大寸法は、突出部と協働してコンタクトスロットの幅を広げ、それによってコンタクトスロットの口の幅を増大させる。上記の説明は、たとえば突出部の形態の２つの広げ手段に関して確立されたものであり、２つの広げ手段はそれぞれ、コンタクトスロットの対向する側に割り当てられているが、そのような広げ手段は、コンタクトスロットの一方の側だけに同様に配置することもできる。
【００１５】
これらの広げ手段は通常、ケーブルの完全性に影響を及ぼすことなく、特に外装を切断することなく、ケーブルの外装と協働する。広げ手段の主な理由は、コンタクトスロットを開くこと、特に、複数の撚り線がコンタクトスロットに容易に入ることを可能にすることである。広げ手段は通常、導体がコンタクトスロットの口を通った後に、広げ手段とケーブルの外装との間の協働が終了し、それによってブレードを弾力により互いの方へ付勢することを可能にするように構成される。この弾力は、Ｕ字状の偏倚要素の弾力とすることができる。しかし、請求項４に記載の上記の好ましい実施形態は、本発明による偏倚要素のないＩＤＣデバイスに対しても同様に実現することができることに留意されたい。
したがって、ＩＤＣデバイスのブレード要素は、少なくともこれらのブレードが、コンタクトスロット内に受け取られた導体に対して偏倚する弾力を蓄積するように適合された場合、そのような広げ手段を備えることができる。この弾力は、そのようなブレード要素および／または従来技術で概して知られており、たとえばＥＰ０８９３８４５Ｂ１に記載されている偏倚手段によって生成することができる。
【００１６】
導体をコンタクトスロット内へ挿入するとき、導体に作用する弾力に応じて、導体および／またはコンタクト要素も同様に塑性変形することがある。そのような塑性変形は特に、銅から形成された導体および／またはブレード要素の場合に生じることがある。特に、この観点から、本発明は、コンタクトスロットに対して修正された幾何形状を提案し、このコンタクトスロットは、スロットの口、すなわち切断ブレードの末端に続いて、矩形スロットの幾何形状を備える。ケーブルの挿入方向においてこの矩形部分の後、スロットは傾斜し、それによって幅が広くなる。
【００１７】
偏倚要素がブレードを取り囲むときのブレードのさらなる屈曲を容易にするために、本発明は、ベースと各脚部との間の隅部が凸形の形状になる好ましい実施形態を提供する。したがって、ケーブルの挿入中に凸形隅部と同一水平面上にくるブレード要素の上部領域は、偏倚要素の内面と接触するまで外方へ曲がることが可能になる。脚部によって設けられる上記で論じた押圧域は、ブレード要素の方へ突出する凸面によって設けることができ、偏倚要素を画定するシート材料の内方へ曲がった出っ張りまたは凸形突起によって設けることができる。この凸形の形状の押圧域は通常、ベースと各脚部との間に設けられる凸形隅部と直接一体になる。どちらの隅部も通常、弾性変形蓄積域を画定し、１１０〜１８０°曲がった凹面を有することができる。Ｕ字状の偏倚要素のベースは、凸形隅部とそれらの間に設けられる凹形の中央部とを備える波状のプロファイルを有することができ、波状のプロファイルは、コンタクトスロット内へのケーブルの挿入中にケーブルの外装と協働するように適合される。
【００１８】
別法として、偏倚要素は、ブレード要素と協働する頂点を画定するようにブレード要素の方へ突出する凸面を備えなくてもよい。代わりに、押圧域は、偏倚要素の本質的に平坦な対向する表面によって提供することができ、これらの表面は、凸形隅部と一体になる。したがって、偏倚要素のまっすぐな脚部は内方へ曲がらず、外方にだけ曲がって、凸形隅部を形成する。
【００１９】
好ましい実施形態によれば、ブレード要素を取り囲んで偏倚要素のベースから突出する対向する脚部は、自由端で互いに接続され、それによって、好ましくは押圧域内でブレード要素に加えられる全体的な押圧力を増大させる。この接続は通常、形状嵌め接続である。
【００２０】
偏倚要素は、好ましくは、切断および曲げ加工ならびに／または深絞り加工によって、単一の金属シートから形成される。金属は、好ましくは、ばね鋼シートおよび／またはステンレス鋼シートである。ブレード要素は、好ましくは、良好な導電率の金属材料、好ましくは銅または銅ベースの合金材料から形成される。ブレード要素は、異なる部分から形成することができる。耐久性のある切断縁が必要とされる場合、ブレード要素は、切断ブレード要素を画定する鋼シートから形成された切断縁を有することができ、この切断縁は、ブレード間にコンタクトスロットを提供するブレードの下部を画定するブレードコンタクト要素に接続される。複数のシート金属材料片から形成されたそのようなブレード要素は、本発明によるブレード要素である。コンタクトスロットを画定するシート金属および切断縁を画定するシート金属を互いに接続して、単体のブレード要素を画定することができる。
【００２１】
本発明の好ましい実施形態によれば、偏倚要素の端位置を固定するための固定手段が設けられる。この端位置で、導体は、コンタクトスロット内に受け取られ、偏倚要素は、ブレード要素に沿って摺動し、その結果、偏倚要素は通常、切断ブレードと同一水平面上に、すなわち切断ブレードと同じ高さに配置される。偏倚要素の端位置内で、ケーブルは通常、ＩＤＣデバイス内に装着され、ＩＤＣデバイスに電気的に接続される。固定手段は、端位置を固定し、したがって偏倚要素が上方へ移動することを防止する。偏倚要素が上方へ移動すると、コンタクトスロット内の導体のクランプ力が低減され、それによってブレード要素と導体との間の堅実なコンタクトに悪影響が及び、それによって電流がケーブルの導体から電気抵抗の低いブレード要素内へ流れることが可能になるはずである。
固定手段は、スナッピング手段として設けることができ、スナッピング手段は、ブレード要素および／もしくは偏倚要素の単体の部材として形成することができ、またはたとえばブレード要素および／もしくは偏倚要素を受け取る絶縁ハウジングのハウジング要素を固定するために設けられる形状嵌め部材として形成することができる。
【００２２】
本発明のさらに好ましい実施形態によれば、ブレード要素は、長手方向の距離をあけて配置された少なくとも２組のブレードを備える。さらに、この好ましい実施形態と組み合わせて、コンタクトスロットの一方の側に配置されたこれら２組のブレードを接続する側壁が、偏倚要素の端位置で偏倚要素を受け取るように適合されたレセプタクルを画定する。レセプタクルは通常、少なくともブレード要素の隅部間にＵ字状の偏倚要素のベースを挿入することを可能にする切抜きまたは凹部である。ベースの長さは、脚部の長さより小さくすることができる。したがって、脚部は、ブレード要素の長さ全体にわたってブレード要素を取り囲むことができ、ブレード要素によって設けられるレセプタクルは、Ｕ字状の偏倚要素の上部、特にベースを受け取るように適合される。
２組のブレードがブレード間に長手方向の距離、すなわち上記で論じた長さ方向の距離をあけて配置されたこの好ましい実施形態の場合、広げ手段は通常、コンタクトスロットの一方の側に配置されたこの組のブレード間に設けられる。広げ手段は通常、２組のブレードに対して対称に配置され、それによって対称に広げる力を提供して、コンタクトスロット内への導体の挿入を可能にする。
【００２３】
本発明のブレード要素は、円筒形のプラグ要素、特にソーラーケーブル向けの規格であるＰＶ４規格によるプラグ要素を提供することができる。この円筒形のプラグ要素は通常、ブレード要素の別個の切断ブレード要素によって提供される切断縁の場合、ブレード要素またはブレードコンタクト要素の単体の部分として提供される。円筒形のプラグ要素は、メスプラグ要素またはオスプラグ要素とすることができる。嵌合するＩＤＣデバイスの場合、これらのデバイスの一方は、オスの円筒形のプラグ要素を提供することができ、他方は、オスの円筒形のプラグ要素に嵌合するように適合されたメスの円筒形のプラグ要素を提供することができる。したがって、本発明の２つのＩＤＣデバイスは、プラグ接続に対して１対の嵌合するコンタクトを画定する。
【００２４】
このプラグ要素、ならびにさらに好ましい実施形態によって提供されるラッチ要素および／または保持ラッチは通常、ブレード要素またはコンタクトブレード要素に嵌合するように提供されたシート金属の切断および曲げ加工によって提供される。保持ラッチは、ケーブルの外装を貫通し、それによって本発明のＩＤＣデバイス内にケーブルを機械的に固定するように適合される。保持ラッチは通常、コンタクトスロットに対して本質的に平行に延びる。したがって、ケーブルをその導体とともにコンタクトスロット内へ挿入するとき、接続すべきケーブルは保持ラッチ内へ同様に押し込まれ、それによってケーブルとＩＤＣデバイスとの間に良好な機械的コンタクトをもたらす。しかし、あらゆる他の手段も、ＩＤＣデバイスからのケーブルの抜き取りを防止するためにＩＤＣデバイス内にケーブルを保持するのに適している。
固定ラッチにより、塑性のハウジング内にブレード要素を固定することができる。塑性のハウジング自体も、同様にまたは別法として、特にハウジング内で定位置にコンタクト要素を固定するための形状嵌め手段を提供することができる。それぞれの塑性のハウジングは同様に、ハウジングからの挿入されたケーブルの後退を防止し、それによって塑性のハウジングを備えるＩＤＣデバイス内にケーブルを固定するための手段を提供することができる。
【００２５】
本発明のさらに好ましい実施形態によれば、ＩＤＣデバイスは、絶縁材料、特に塑性材料から形成されたハウジングを備え、塑性材料は、射出成形することができる。ハウジングは、少なくともハウジングベースおよびハウジングカバーを備え、ハウジングベースおよびハウジングカバーは、互いに対して摺動可能である。言い換えれば、ハウジングベースおよびハウジングカバーは、摺動運動を提供することが可能である。したがって、ハウジングは、ハウジング内へケーブルを挿入することができる開始位置と、ケーブルがＩＤＣデバイス内に装着されてＩＤＣデバイスと電気的に接続される装着位置とを画定することができる。ハウジングカバーは通常、ハウジングカバー内へ、開始位置から装着位置へ摺動する。
通常、ハウジングカバーは、ハウジングベースがブレード要素を受け取るときにハウジング内へケーブルを挿入する手段を提供する。したがって、偏倚要素は通常、ハウジングカバーに受け取られ、好ましくは取り付けられる。この好ましい実施形態によれば、開始位置でハウジング内へケーブルを挿入するための空間をあけた量を有するゲル封止材料が、ハウジング内に受け取られ、この量は、装着位置でハウジング内の空間全体を本質的に充填するのに十分である。装着位置で、ゲル封止材料は、ハウジング内のすべての空隙を本質的に充填し、したがって、湿気または汚れがハウジング内へ入ることを防止する。
装着位置におけるハウジングの閉鎖を改善し、またＩＤＣデバイス内でのケーブルの組立て前に汚れまたは湿気がハウジングに入ることを防止するために、カバーは、ハウジング内へのケーブルの挿入に適合された開口を画定し、この開口は、カバーに割り当てられており、封止要素が、挿入されたケーブルの外装を受け取り、外装と協働してハウジングの内部空間を封止するように適合される。封止要素は通常、追加のケーブルを接続するためにＩＤＣデバイスを使用するまでハウジングカバーの開口を本質的に封止するように構成される。このため、封止要素は、好ましくは、切り込みの入った膜を有し、この膜は、開口を完全に封止する。切り込みの入った膜は、切れ目によって分離された複数の部分を有することができ、切れ目は、膜を完全には貫通しないが、封止要素を通ってケーブルを挿入したときにこれらの部分を分離することを可能にする。
【００２６】
好ましくは、ハウジングカバー内に保持ばねが受け取られ、挿入すべきケーブルの外装と協働してハウジング内でケーブルを保持するように適合される。保持ばねは通常、切断、好ましくは型打ちされた単一のシート金属片から形成されており、保持ばねはリング状のベースを有し、このベースからばねアームが径方向内方へ突出し、軸方向にわずかに曲がって、１０〜４５°の勾配を呈している。この勾配のため、ばねアームは、外装の外周と協働するフックを画定し、これらのフックは、ケーブルの挿入後にケーブルがハウジングから引き出されることを防止する。
【００２７】
本発明のさらに好ましい実施形態によれば、ハウジングベースとハウジングカバーとの間にロック手段が設けられ、ロック手段は、開始および／または装着位置を固定する。特に、ロック手段は、装着位置でハウジングベースおよびハウジングカバーを解除できないように固定するように適合される。ロック手段は、たとえば、ハウジングベースまたはハウジングカバーによって設けられる少なくとも１つのスナッピング要素と、ハウジングベースおよびハウジングカバーの他方によって設けられる１つのスナッピング受取り要素とによって提供することができ、これらのスナッピング要素は、ハウジングベースに沿ったハウジングカバーの摺動運動の結果、装着位置で有効になる。
【００２８】
さらに好ましい実施形態によれば、ハウジングは、ハウジング内へケーブルが挿入されていない状態で開始位置から装着位置へのハウジングカバーの移動を防止するために、間違えようのないようになっている。この目的で、ハウジングは、ハウジング内へケーブルを挿入する前にハウジングカバーが開始位置から装着位置へ押されることを阻止する阻止手段を備える。阻止は、阻止手段とハウジング内へ挿入されたケーブルとの相互作用によって解除される。阻止手段は、好ましくは、それぞれハウジングベースおよびハウジングカバーの協働面による形状嵌め手段である。これらの協働面は、たとえば、表面を画定する部材の１つとハウジング内に受け取られたケーブルとの間の相互作用によって係合解除される。この相互作用後、阻止手段は解除され、したがってハウジングカバーを下方へ装着位置に押すことができる。
【００２９】
さらに、本発明は、第１のソーラーケーブルおよび第２のソーラーケーブルを有する太陽光利用設備を提供する。両ソーラーケーブルはそれぞれ、本発明のＩＤＣデバイス内に受け取られ、ＩＤＣデバイスは、互いに電気的かつ機械的に接続される。この接続は、解除できない機械的および電気的接続とすることができる。言い換えれば、単体の絶縁材料のハウジング内に２つのＩＤＣ要素を備えることができ、各ＩＤＣ要素は、ハウジングベースおよびハウジングカバーを画定する。ハウジングベースは通常、単体の部材によって設けられ、ハウジングカバーは、単体の部材内に設けることができ、または、割り当てられたＩＤＣデバイスとソーラーケーブルとの個々の電気的接続のために、互いに独立して設けることができる。本発明のこの類似の態様によって提供される太陽光利用設備は、必ずしも請求項１に記載のＩＤＣデバイスを備えなければならないとは限らない。
ＩＤＣデバイスは、本発明のブレード要素および広げ手段によって実施することができ、必ずしも追加の別個の偏倚要素を備えなければならないとは限らない。したがって、本発明は、太陽光利用設備の２つのケーブルを電気的に接続する有効かつ容易なやり方を提供する。ソーラーケーブルは通常、８、１０、１２、または１４のＡＷＧケーブルであり、複数の撚り線が１本の導体を画定する。ソーラーケーブルは通常、少なくとも３５本の撚り線を有し、したがって、１つのＩＤＣデバイスによって接続可能であることは知られていない。この問題は、本発明によって解決され、本発明は、これらの複数の撚り線をコンタクトスロット内に圧縮するとともに、同時に複数の撚り線をコンタクトスロット内へ付勢することを容易にする手段を定義し、そのため、各ＩＤＣデバイスに対して本発明の広げ手段および／または本発明の偏倚要素を提供することができる。
ソーラーケーブルのワイアサイズは通常、２．５〜１０ｍｍ２である。これらのケーブルは通常、ＸＬＰＥまたはＸＬＰＯの絶縁体を有し、通常、２重に分離されたケーブルである。本発明がなされるまで、２重に分離された複数の撚り線を有するそのようなケーブルを電気的に接続することが可能であるＩＤＣデバイスは知られていなかった。本発明の太陽光利用設備は、１０００〜２０００ボルトの高電圧電流を伝えるケーブルを確実に接続するのに適している。ケーブルは、導体を形成する３５〜８０本の撚り線を有することができ、撚り線１本当たりの有効径は、０．２５〜０．４ｍｍである。導体の有効径は、２〜４．５ｍｍの範囲内とすることができる。外装の外径は、５．５〜７．５ｍｍの範囲内とすることができる。
【００３０】
本発明のＩＤＣデバイスは、好ましくは、傾斜スロットを提供し、傾斜スロットは、偏倚要素がコンタクトスロットの方へ移動した端位置におけるスロットの形状によって提供され、この形状では、コンタクトスロットの口は、コンタクトスロットが端位置で導体を受け取るコンタクト領域より狭い。言い換えれば、スロットの高さ方向の延長において、口は、口に続く部分より幅方向に小さい。通常、スロットの高さ方向の延長は、コンタクト領域およびスロットの下端より下に十分な余裕を残し、それによってケーブルの外装がブレード要素を互いに離れる方へ押すことを防止する。ブレード要素が互いに離れた場合、導体とコンタクトブレードとの間の電気コンタクトに悪影響が及ぶ可能性がある。
特に、本発明の広げ手段と組み合わせて、傾斜スロットを開いて狭い口を拡大し、撚り線をコンタクトスロット内へ挿入することを可能にし、広げ手段は、導体が口を通過した後に無効になり、それによってブレード要素を互いの方へ押し、コンタクトスロット内で導体を実際上圧縮し、ケーブルとＩＤＣデバイスとの間に良好な電気コンタクトを提供する。代替実施形態では、導体は、端位置で矩形スロットの幾何形状内に受け取られ、外装は、傾斜部分内に受け取られる。傾斜部分は、コンタクトスロット内へのケーブルの挿入方向において、矩形スロットの幾何形状を有する部分に続く。
【００３１】
本発明の別の態様は、ケーブルがケーブルの長手方向に挿入開口内へ挿入される方法を提供する。挿入開口は、切断縁間に画定され、切断縁は通常、斜めであり、したがって通常、Ｖ字状の形状を画定する。偏倚要素がＵ字状であり、ブレード要素を取り囲む本発明の構成で、偏倚要素は同様に、挿入開口を画定し、すなわち切断縁より上の領域を覆う。本発明によれば、偏倚要素は、コンタクトスロットに対して平行な方向にブレード要素に沿って摺動し、それによってケーブルをコンタクトスロット内へ付勢する。言い換えれば、Ｕ字状の偏倚要素のベースは、接続されるべきケーブルの外装と協働して、ケーブルの導体をコンタクトスロット内へ押し込む。
【００３２】
別法または追加として、ブレード要素自体によって提供される弾力および／もしくは塑性力、または本発明の偏倚要素もしくはたとえばＥＰ０８９３８４５Ｂ１のように従来技術から知られている他の偏倚手段によって提供される弾力のため、コンタクトスロットの口は、ケーブルの外装と各ブレードに割り当てられた広げ手段との協働によって広げられ、コンタクトスロット内への導体の挿入を容易にし、導体が口を通過した後にブレードをともにより近づける。
【００３３】
本発明の方法の類似の態様によれば、この方法は、外装および導体を有するケーブルを絶縁変位コンタクトデバイス内に電気的に接続するためのものであり、ブレード要素は、対向するブレードを備え、ブレードはそれぞれ、切断縁を有し、ブレード間にコンタクトスロットを画定する。本発明の方法では、コンタクトスロットの口は、ケーブルの最大寸法がコンタクトスロットへ移るときに広げ手段が外装と協働することによって広げられ、広げ手段は、導体がコンタクトスロットの口を通過した後に無効になり、それによって弾力により、コンタクトスロットを画定するブレード要素がより狭い形状になり、コンタクトスロット内で導体を圧縮することが可能になる。この方法は、偏倚要素を必要としない。
【００３４】
したがって、本発明の方法により、ケーブル、特に導体を画定する少なくとも３５本の撚り線を有するソーラーケーブルをＩＤＣデバイスによって電気的に接続することができる。
【００３５】
本発明の方法では、Ｕ字状の偏倚要素は、好ましくは、スナッピング手段によって端位置でブレード要素に固定され、ケーブルは、ＩＤＣデバイスに電気的に接続される。
【００３６】
さらに好ましい実施形態によれば、偏倚要素は、押圧域内で最大横方向偏倚力によりブレード要素を取り囲み、押圧域は、偏倚要素の摺動中に偏倚要素がケーブルをコンタクトスロット内へ付勢するとき、コンタクトスロットに対して横断方向において、ケーブルの最大寸法と本質的に同一水平面上にくる。言い換えれば、押圧域は、コンタクトスロットにちょうど対向する外装の外面上で偏倚要素がケーブルに接触するとき、コンタクトスロットの延長に対して横断方向においてケーブルの最大直径に対応する位置でケーブルを取り囲む。
【００３７】
本発明について、図面を参照することによって次に説明する。
【図面の簡単な説明】
【００３８】
【図１】本発明の一実施形態によるブレード要素の斜視図である。
【図２】本発明の実施形態の偏倚要素の斜視図である。
【図３ａ】図１および図２に示す構成要素を備えるＩＤＣデバイスおよびＡＷＧ１４のソーラーケーブルを接続する異なる段階の正面図である。
【図３ｂ】図１および図２に示す構成要素を備えるＩＤＣデバイスおよびＡＷＧ１４のソーラーケーブルを接続する異なる段階の正面図である。
【図３ｃ】図１および図２に示す構成要素を備えるＩＤＣデバイスおよびＡＷＧ１４のソーラーケーブルを接続する異なる段階の正面図である。
【図３ｄ】図１および図２に示す構成要素を備えるＩＤＣデバイスおよびＡＷＧ１４のソーラーケーブルを接続する異なる段階の正面図である。
【図４ａ】ＡＷＧ１０のソーラーケーブルを接続するそれぞれの段階における図３ａによるＩＤＣデバイスの正面図である。
【図４ｂ】ＡＷＧ１０のソーラーケーブルを接続するそれぞれの段階における図３ｂによるＩＤＣデバイスの正面図である。
【図４ｃ】ＡＷＧ１０のソーラーケーブルを接続するそれぞれの段階における図３ｃによるＩＤＣデバイスの正面図である。
【図４ｄ】ＡＷＧ１０のソーラーケーブルを接続するそれぞれの段階における図３ｄによるＩＤＣデバイスの正面図である。
【図５】絶縁ハウジングを有する図１〜図４に示すＩＤＣデバイスの斜視断面図である。
【図６】ハウジングの開始位置における図５の線ＶＩ−ＶＩに沿って切り取った断面図である。
【図７】ハウジングの装着位置における図６による断面図である。
【図８】この実施形態のハウジングのハウジングカバー内を見る斜視図である。
【図９ａ】ハウジングカバー内に受け取られることになる封止要素の第１の実施形態の斜視図である。
【図９ｂ】ハウジングカバー内に受け取られることになる封止要素の第２の実施形態の斜視図である。
【図１０】ケーブルの外装と協働するように示されている、ハウジングカバー内に受け取られることになる保持ばねの実施形態の斜視図である。
【図１１】ＩＤＣデバイスの第２の実施形態の斜視側面図である。
【図１２ａ】ＩＤＣデバイスの代替実施形態の正面図である。
【図１２ｂ】ＩＤＣデバイスの代替実施形態の正面図である。
【発明を実施するための形態】
【００３９】
図１は、ブレード要素の一実施形態の斜視図であり、ブレード要素は、切断および曲げ加工によって単体のシート金属片から形成され、シート金属は、銅または銅合金である。参照番号２で識別されるブレード要素は、２組のブレード４、６を備える。各組４、６は、互いに対向して配置された２つのブレード４．１、４．２、６．１、６．２を備え、ブレード間にコンタクトスロット８、１０を形成する。これらのブレード４、６は、側壁に対して９０°の角度で曲がっており、側壁は、ブレード要素２のベース１４に対して９０°曲がっている。ベース１４の一方の端部から固定ラッチ１６が突出し、また他方の端部から一体の円筒形プラグ１８が突出する。
プラグ１８は、ＶＰ４相互接続プラグである。ブレード４、６は、側壁１２のみによってベース１４に接続される。各側壁１２の上部自由端は、ブレード４、６と側壁１２とを接続する隅部２２間に凹んだレセプタクル２０を備える。この隅部２２で、各ブレード４、６は斜めに延びて、対向するブレード４．１、４．２、６．１、６．２間にＶ字状の形状を画定する。この斜めの形状はそれぞれ、切断縁２４を画定する。２つの対向する切断２４は、末端にそれぞれコンタクトスロット８、１０を形成する。側壁１２から、突起２６が内方へ突出し、突起２６は、シート金属材料を深絞り加工することによって形成され、突起２６は、突起２６と挿入すべきケーブルとの協働によって対向するブレード要素４．１、４．２、６．１、６．２を広げるための広げ手段を実現する。この機能については、以下で説明する。さらに、ブレード１２外側は、突起２６より下に、ばねロックレセプタクル２８を備える。突起２６およびばねロックレセプタクル２８を除いて、側壁１２の外面は平坦である。
【００４０】
図２は、偏倚要素３０の一実施形態について説明し、偏倚要素３０は、略Ｕ字状の形状を有し、対向する脚部３２が、ベース３４から突出してベース３４に接続されている。各脚部３２は、本質的に高さ方向ｈに延びてばねロック要素３６を画定するＵ字状の切抜きを有し、ばねロック要素３６は、自由端で脚部３２の内側対向面からわずかに突出する。脚部３２の寸法は、長さ方向ｌにおいて、ベース３４より大きい。Ｕ字状の偏倚要素３０の断面で、ベース３４は波状の断面を有し、凸形隅部３８と、ベース３４の中央に位置する凹形の中央部４０とを有する。凸形隅部３８は、脚部３２が外方へ曲がるときに脚部３２の弾性変形を蓄積するように構成される。
【００４１】
本実施形態では、脚部３２の自由端は、脚部３２に略直交して延びる固定脚部４８の自由端付近に形成された固定凹部４６内へ突出する固定ラッチ４２の形状嵌め閉鎖によって接続される。両脚部３２を自由端で接続する上述した接続手段は、省くこともできる。これらの手段は、偏倚要素３０の圧縮力を強める。しかし、これらの手段を省き、脚部３２をベース３４に弾性的に接続することも実行可能である。
【００４２】
図３および図４の側面図から特に明らかになるように、脚部３２は、ばねロック要素３６の自由端よりわずかに上に、凸形突起５０を有する。２つの凸形突起５０は、高さ方向ｈにおいて同一水平面上にあり、脚部３２の略平坦な表面からわずかに突出する。この凸形突起５０から、凸形隅部３８が延びる。したがって、各脚部３２のうちばねロック要素よりわずかに上に位置する外面は、凸形突起５０の位置で凹形であり、凸形隅部３８の位置で凸形である。凸形突起５０は、押圧域ｐを画定するためのものであり、以下に説明するように、押圧域ｐ内では、ブレード要素に最大横方向偏倚力が加えられる。
【００４３】
図３ａは、ブレード要素２上へ装着された偏倚要素３０の挿入位置を示す。この挿入位置で、ベース３４は、偏倚要素３０のベース３４とブレード要素２との間にケーブル５２を挿入することを可能にするのに十分な距離を、切断縁２４より上に備える。この挿入位置で、ばねロック要素３６の自由端は、ブレード要素２から突出する。図３ａで、切断縁２４より上であるが偏倚要素３０のベース３４より下の空間は、ケーブル５２を受け取るように適合された挿入開口５１を画定する。図３ａ〜図３ｄに示すあらゆる位置で、偏倚要素３０のベース３４は、ブレード要素２を横切って延びる。
したがって、ベース３４は、移動方向に直交して延びており、偏倚要素３０は、図３ａ〜図３ｄの順序に従って、高さ方向ｈに、すなわちコンタクトスロット８、１０の延長に沿って移動する。この摺動運動は、各側壁１２の平坦な外面が脚部３２の内側対向面と協働することによって案内される。ケーブル５２は、ＡＷＧ１４のソーラーケーブルであり、直径０．２５ｍｍの４７本の個々の撚り線によって形成された導体５４と、外径５．６５〜６．１８ｍｍの外装５６とを有する。外装５６は、絶縁体５８を取り囲む。したがって、ケーブル５２は、２重に分離されたケーブルである。
【００４４】
ケーブル５２の挿入後、偏倚要素３０は、ブレード要素２の方に下方へ押される。この運動中、ベース３４、具体的にはベース３４の凹形の中央部４０が、ケーブル５２の外周に接触し、ケーブル５２を切断縁２４の方へ押し込む。図３ｂは、外装５６と切断縁２４との最初の接触を識別するためのものである。偏倚要素３０がブレード要素２の方へさらに前進すると、切断縁２４は、外装５６および絶縁体５８を切断して、導体５４を露出させる。この切断動作は、切断縁２４がコンタクトスロット８または１０に移るときに本質的に終了する。対応する状況を図３ｃに示す。ケーブル５２がブレード要素２内へさらに前進すると、導体５４はコンタクトスロット８の口６０を通過する。この口は、コンタクトスロット８の最も狭い部分を画定する。この位置で、導体５４の個々の撚り線は、コンタクトスロット８の形状に適合するように変形され、最終的に、コンタクトスロット８の延長方向におけるコンタクトスロット８の中央部で、ブレード４．１間に画定されたコンタクト領域６２内に導体５４の撚り線が配置される。この状況を図３ｄに示す。
【００４５】
図３ａ〜図３ｄの順序から見られるように、押圧域ｐは常に、コンタクトスロット８の延長方向に移送される方向において、ケーブル５２の最大延長と同一水平面上にある。したがって、切断縁２４の切断動作およびコンタクトスロット８内の撚り線の押圧は、ケーブル５２と常に同一水平面上にある偏倚要素の弾力によって支援される。図３ｄに示す端位置で、各脚部３２のばねロック要素３６は、ブレード要素２のばねロックレセプタクル２８内に受け取られて、端位置を固定するためのポジティブフィットを提供する。
【００４６】
図４ａ〜図４ｄは、７．２３〜６．６８ｍｍの外径を有し、したがって図３ａ〜図３ｄのケーブルＡＷＧ１４より大きい外径を有するＡＷＧ１０ケーブルに対して、同じ順序を示す。同じことが、３．１ｍｍの導体の直径にも当てはまる。コンタクトスロット内にすべての撚り線を位置決めすることを支援するために、外装５６の外径は、図４ｃに示す突起２６の輪郭と協働し、その後、外装５６および絶縁体５８は完全に切断されて、導体５４が露出される。この位置で、導体５４をコンタクトスロット８内へさらに前進させると、ブレード４．１、４．２の上部は、押圧域ｐより上に設けられた領域内で、凸形隅部３８によって外方へ屈曲することが可能になる。これらの隅部は、ブレード４．１、４．２、６．１、６．２およびこれらを接続する側壁１２の可動度をより大きくするための余裕を与える。したがって、ブレード要素２がその上端で外方へ屈曲できないことによって、凸形突起５０によってブレード要素２に加えられる最大横方向偏倚力が低減されることはない。このため、凸形隅部３８の対向面は、脚部３２のまっすぐな内面を含む基準平面から外方へ突出し、凸形突起５０は、反対側の基準面から互いの方へ突出する。
【００４７】
図１１は、第１の実施形態のそれぞれの要素に対応する偏倚要素３０と、わずかに異なる構成を有するブレード要素２とを備えるＩＤＣデバイスの斜視側面図である。この異なる構成で、固定ラッチ１６は、本質的に２組のブレード４、６間の長さの２分の１のところに配置されており、ブレード要素２のベース１４の一方の端部は、三角形の形状を有し、保持ラッチ６４を画定するように上方へ曲がっている。保持ラッチ６４は、コンタクトスロット８の延長方向に対して本質的に平行に延びており、ケーブル５２がコンタクトスロット８の方へ前進し、最終的にその導体５４とともにコンタクトスロット８内に配置されるまで、外装５６と協働するように適合される。したがって、端位置で、保持ラッチ６４は、外装５６を貫通して、ＩＤＣデバイス内でケーブル５２を軸方向に固定する。
【００４８】
次に、ハウジングの説明を提示する。ハウジングは、参照番号７０で識別されており、ハウジングベース７２およびハウジングカバー７４を備え、ハウジングベース７２およびハウジングカバー７４は、図５および図６に示す開始位置から図７に示す装着位置まで、互いに対して摺動可能である。図６の開始位置で、偏倚要素３０は挿入位置にある。図７による装着位置で、偏倚要素３０は、図３ｄおよび図４ｄを参照して説明した端位置に設けられている。
【００４９】
ハウジングベース７２は、プラグ１８を取り囲む円筒形プラグハウジング部分７６を画定し、円筒形プラグハウジング部分７６は、相手ハウジング３０の別のハウジングベースの相手プラグ部分を案内して、ハウジング７０をブレード要素２に、具体的には相手プラグ１８に、電気的かつ機械的に接続するように適合される。ハウジングベース７２の底部には、固定ラッチ１６を受け取ってハウジングベース７２内でブレード要素２を軸方向に固定する固定スロット７８が設けられる。ハウジングベース７２は、ベース１４より下に、Ｕ字状の受取りチャンバ８０を画定し、受取りチャンバ８０は、脚部３２のうちたとえば端位置でブレード要素から下方方向へ突出する部分を受け取るように適合される。
プラグハウジング部分７６とは反対側のハウジングベース７４の前面には、ハウジングカバー７４内へケーブルを挿入するための開口８６を画定するハウジングカバー７４の円筒形部分８４を案内するように適合された摺動スロット８２が設けられる。装着位置で、円筒形部分８４の外周は、摺動スロット８２の半円形の末端に当接する。円筒形部分８４とブレード要素２との間で、ハウジングカバー７４はチャネル部材８８に接続され、チャネル部材８８は、封止要素９０および保持ばね９２を受け取り、チャネル９４を円周方向に密閉する。チャネル９４は、ケーブル５２をハウジング７０内へ案内し、それによってブレード要素２を通過させるように適合される。
【００５０】
図９ａに示す封止要素９０は、ディスク状の要素であり、切り込みの入った膜９８によって閉鎖された補強リング９６を有する。切り込みの入った膜９８は、ケーブル５２の挿入前に閉鎖された封止面を提供しており、切り込みの入った膜９８の切断線に沿って膜９８を貫通し、膜９８の弓形１００を分離することができる。図９ｂによる代替実施形態は、切り込みが入っておらず小さい開口だけを備える膜９８を有しており、ケーブルがハウジング７０内へ挿入されると、開口が広がり、ケーブルの外周に封止当接してケーブル５２を封止する。
【００５１】
図１０に示す保持ばね９２は、切り込みによって形成された複数のばねアーム１０２を有し、ばねアーム１０２は、曲げ加工の結果、またはケーブルがばねアーム１０２を通過した結果、リング部分１０４から突出することができる。この型打ち動作によって、保持ばね９２を画定するシート金属材料は曲がり、リング部分１０４から径方向内方へ突出するＵ字状のばねアーム１０２を提供する。最初の状態で、すなわちケーブルを挿入する前に、ばねアーム１０２は、リング部分１０４とともに平面内に位置することができ、またはリング部分１０４を含む平面の外へ曲がって挿入すべきケーブルの長手方向および挿入方向に延び、リング部分１０４に対して少なくともたとえば１０°曲がることができる。
この曲げは、ケーブルの直径が保持ばね９２内へ挿入されることによって生じ、またはさらに増強される。図１０では、ケーブルの直径がかなり大きく、ばねアーム１０２が約４５°の曲げ角度αだけ曲がっていると想定する。図１０から推論できるように、ばねアーム１０２の自由端は、ケーブル５２が保持ばね９２から引き出されることを防止するために、外装５６の外周部に食い込む。したがって、保持ばね９２は、ハウジング７０内へ挿入されたケーブル５２の完全な軸方向固定を提供する。
【００５２】
ハウジングベース７２の底部は、装着位置でチャネル部材８８の輪郭を受け取るように構成される。ハウジングベース７２の底部は、概して、ハウジングカバー７４が開始位置から装着位置へ移動するときに空隙内へ詰め込まれるゲル封止材料で充填される。図６および図７から推論できるように、ハウジングベース７２はスナッピング突出部１０６を有し、スナッピング突出部１０６は、ハウジングカバー７４によって設けられるスナッピングレセプタクル１０８、１１０と協働するためのものである。下部のスナッピングレセプタクル１１０は、開始位置でスナッピング突出部１０６と協働し、したがって開始位置を固定する。スナッピング突出部１０６およびスナッピングレセプタクル１０８を画定する上部の壁の傾斜した形状のため、ハウジングカバー７４を押し付けることで、このスナッピング位置が解除される。スナッピング突出部１０６および１１０の下端を画定する表面は矩形であるため、図７に示す装着位置を解除することはできない。
【００５３】
開口８６とは反対側の隅部内に、ハウジングベース７２は剛性の阻止壁１１２を備え、阻止壁１１２から対応する可撓性の阻止フラップ１１４が突出する。阻止フラップ１１４は、ハウジングカバー７４の単体の部分であり、フィルムヒンジによってハウジングカバー７４に接続されている。したがって、阻止フラップ１１４は遠位自由端を有し、外方へ屈曲することが可能である。最初の位置で、阻止フラップ１１４は、阻止壁１１２より上に配置される。したがって、各遠位角内に設けられた阻止壁１１２および対応する阻止フラップ１１４は、ケーブルをハウジング７０内へ挿入する前にハウジングカバー７４が図６の開始位置から図７の装着位置へ押し込まれるのを阻止するための阻止手段を画定する。
【００５４】
ケーブルは、開口８６を通って導入されると、封止要素９０を通過し、切り込みの入った膜９８を開く。ケーブル５２をさらに前進させることによって、ケーブル５２は、保持ばね９２を通過して、ケーブル５２の移動方向にばねアーム１０２を屈曲させる。ケーブルはブレード要素２を通過し、最終的に、遠位隅部に配置された阻止フラップ１１４に接触して、阻止フラップ１１４を阻止壁１１２から係合解除する。したがって、ケーブル５２の適切な挿入により、ハウジングカバー７４をハウジングベース７２の方に下方へ押すことが可能になる。
【００５５】
ハウジングベース７２がハウジングカバー７４を受け取ると、ハウジング７０内に受け取られているゲル封止材料が圧搾され、それによってハウジング７０内の残りの空間内に分散されて、ハウジング７０内のすべての空隙を充填する。ハウジング７０内に受け取られるゲル封止材料の量は、ゲル封止材料が本質的に装着位置でハウジング７０内の空間全体を充填するように選択される。ゲル封止材料は通常、チャネル９４内へ押し出されて、封止要素９０に到達する。
【００５６】
明らかに、ハウジングカバー７４が、接着剤および／または形状嵌め手段によってハウジングカバー７４に取り付けることができる偏倚要素３０を受け取るとき、ハウジングベース７２がブレード要素２を受け取るため、ハウジングカバー７４がハウジングベース７２の方へ摺動することで、外装５６および絶縁体５８が切断され、装着位置で２つのコンタクトスロット８、１０内の導体５４を変形させる力が加えられる。
【００５７】
図１２ａおよび図１２ｂは、前述の実施形態とは異なる幾何形状のコンタクトスロット８を画定するブレード要素２の代替実施形態について説明する。コンタクトスロット８は、ケーブル５２の挿入方向においてコンタクトスロット８の口６０に続く矩形スロット部分８．１を備える。この矩形スロット部分８．１は、少なくとも導体５４の直径に対応する長さを有する。この矩形スロット部分８．１に続いて、コンタクトスロット８は、コンタクトスロット８の下端の方へ広がる傾斜スロット部分８．２を画定する。コンタクトスロット８の特有の幾何形状は、偏倚要素３０によって作用されるやや過度の偏倚力を考慮して、挿入中に塑性変形するように、特に導体５４を形成する銅の撚り線の挙動に対応するためのものである。この状態および位置、すなわち端位置を、図１２ｂに示す。
【符号の説明】
【００５８】
２  ブレード要素
４．１  ブレード
４．２  ブレード
６．１  ブレード
６．２  ブレード
８  コンタクトスロット
８．１  矩形スロット部分
８．２  傾斜スロット部分
１０  コンタクトスロット
１２  側壁
１４  ベース
１６  固定ラッチ
１８  プラグ
２０  レセプタクル
２２  隅部
２４  切断縁
２６  突起
２８  ばねロックレセプタクル
３０  偏倚要素
３２  脚部
３４  ベース
３６  ばねロック要素
３８  凸形隅部
４０  凹形の中央部
４２  固定ラッチ
４６  固定凹部
４８  固定脚部
５０  凸形突起
５１  挿入開口
５２  ケーブル
５４  導体
５６  外装
５８  絶縁体
６０  コンタクトスロットの口
６２  コンタクトスロットのコンタクト領域
６４  保持ラッチ
７０  ハウジング
７２  ハウジングベース
７４  ハウジングカバー
７６  プラグハウジング部分
７８  固定スロット
８０  受取りチャンバ
８２  摺動スロット
８４  円筒形部分
８６  開口
８８  チャネル部材
９０  封止要素
９２  保持ばね
９４  チャネル
９６  補強リング
９８  膜
１００  弓形
１０２  ばねアーム
１０４  リング部分
１０６  スナッピング突出部
１０８  スナッピングレセプタクル
１１０  スナッピングレセプタクル
１１２  阻止壁
１１４  阻止フラップ
Ｈ  高さ方向
Ｌ  長さ方向
ｗ  幅方向
ｐ  押圧域
α  曲げ角度
【図１】
2018041727.tif 000003
【図２】
2018041727.tif 000004
【図３ａ】
2018041727.tif 000005
【図３ｂ】
2018041727.tif 000006
【図３ｃ】
2018041727.tif 000007
【図３ｄ】
2018041727.tif 000008
【図４ａ】
2018041727.tif 000009
【図４ｂ】
2018041727.tif 000010
【図４ｃ】
2018041727.tif 000011
【図４ｄ】
2018041727.tif 000012
【図５】
2018041727.tif 000013
【図６】
2018041727.tif 000014
【図７】
2018041727.tif 000015
【図８】
2018041727.tif 000016
【図９ａ】
2018041727.tif 000017
【図９ｂ】
2018041727.tif 000018
【図１０】
2018041727.tif 000019
【図１１】
2018041727.tif 000020
【図１２ａ】
2018041727.tif 000021
【図１２ｂ】
2018041727.tif 000022
【外国語明細書】
2018041727000001.pdf